(57)【要約】    【課題】  高ズーム比で広角端から望遠端に至る全ズーム範囲にわたり良好なる光学性能を有し、さらにフォーカシングに伴う諸収差の変動が少ないズームレンズを得ること。    【解決手段】  複数のレンズ群を有し、ズーミングに際して隣り合うレンズ群の間隔が変化するズームレンズであって、複数のレンズ群は、物体側より像側へ順に配置された、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群、正の屈折力の第７レンズ群より成り、フォーカシングに際して第６レンズ群が移動し、第２レンズ群の焦点距離ｆ２、第６レンズ群の焦点距離ｆ６、広角端におけるバックフォーカスＳＫｗを各々適切に設定すること。【選択図】    図１
2019148679.tif 000002
【特許請求の範囲】
【請求項１】
複数のレンズ群を有し、ズーミングに際して隣り合うレンズ群の間隔が変化するズームレンズであって、
前記複数のレンズ群は、物体側より像側へ順に配置された、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群、正の屈折力の第７レンズ群より成り、
フォーカシングに際して前記第６レンズ群が移動し、前記第２レンズ群の焦点距離をｆ２、前記第６レンズ群の焦点距離をｆ６、広角端におけるバックフォーカスをＳＫｗとするとき、
０．７８＜｜ｆ２｜／ＳＫｗ＜１．２７
１．８０＜ｆ６／ｆ２＜２．６０
なる条件式を満足することを特徴とするズームレンズ。
【請求項２】
像ぶれ補正に際して、前記第４レンズ群は光軸に対して垂直方向の成分を含む方向に移動し、前記第４レンズ群の焦点距離をｆ４とするとき、
２．１０＜ｆ４／ｆ２＜２．８０
なる条件式を満足することを特徴とする請求項１に記載のズームレンズ。
【請求項３】
広角端における全系の焦点距離をｆｗとするとき、
０．５０＜｜ｆ２｜／ｆｗ＜０．８０
なる条件式を満足することを特徴とする請求項１または２に記載のズームレンズ。
【請求項４】
前記第１レンズ群の焦点距離をｆ１、望遠端における全系の焦点距離をｆｔとするとき、
０．９０＜ｆ１／ｆｔ＜１．１５
なる条件式を満足することを特徴とする請求項１乃至３のいずれか１項に記載のズームレンズ。
【請求項５】
前記第３レンズ群の焦点距離をｆ３とするとき、
１．１５＜ｆ３／｜ｆ２｜＜１．５５
なる条件式を満足することを特徴とする請求項１乃至４のいずれか１項に記載のズームレンズ。
【請求項６】
前記第３レンズ群の焦点距離をｆ３とするとき、
１．４５＜｜ｆ６｜／ｆ３＜１．７５
なる条件式を満足することを特徴とする請求項１乃至５のいずれか１項に記載のズームレンズ。
【請求項７】
前記第５レンズ群の焦点距離をｆ５とするとき、
１．８５＜ｆ５／｜ｆ２｜＜２．７０
なる条件式を満足することを特徴とする請求項１乃至６のいずれか１項に記載のズームレンズ。
【請求項８】
無限遠から近距離へのフォーカシングに際して前記第６レンズ群は像側へ移動することを特徴とする請求項１乃至７のいずれか１項に記載のズームレンズ。
【請求項９】
前記第６レンズ群は物体側から像側へ順に配置された正レンズ、負レンズより構成されることを特徴とする請求項１乃至８のいずれか１項に記載のズームレンズ。
【請求項１０】
ズーミングに際して前記第１レンズ群ないし前記第７レンズ群が互いに異なった軌跡で移動することを特徴とする請求項１乃至９のいずれか１項に記載のズームレンズ。
【請求項１１】
請求項１乃至１０のいずれか１項に記載のズームレンズと、該ズームレンズによって形成される像を受光する撮像素子を有することを特徴とする撮像装置。
【発明の詳細な説明】
【技術分野】
【０００１】
本発明はズームレンズ及びそれを有する撮像装置に関し、例えばビデオカメラ、電子スチルカメラ、放送用カメラ、監視カメラ等のように撮像素子を用いた撮像装置の撮像光学系として好適なものである。
【背景技術】
【０００２】
近年、撮像装置に用いる撮像光学系には、全系が小型でありながら高ズーム比で全ズーム範囲において高い光学性能を有するズームレンズであることが要求されている。またこれらのズームレンズには高速かつ高精度にフォーカスができること等も要求されている。
【０００３】
特に近年、デジタルカメラには、静止画だけでなく動画の撮影も要望されている。そのため、動画撮影に対応するためのフォーカスレンズ群を小型にして静穏駆動させることにより、合焦の際に駆動音が録音されないようにすることが要求されている。
【０００４】
従来、これらの要求を満足するズームレンズとして、最も物体側に正の屈折力のレンズ群を配置したポジティブリード型で高ズーム比で物体側の第１レンズ群以外のレンズ群でフォーカシングを行ったズームレンズが知られている（特許文献１、２）。
【０００５】
特許文献１は物体側から像側へ順に、正、負、正、負、正、正の屈折力の第１レンズ群乃至第６レンズ群よりなり、隣り合うレンズ群の間隔を変えてズーミングを行い、第２レンズ群でフォーカシングを行ったズームレンズを開示している。特許文献２は物体側から像側へ順に正、負、正、正、負、正の屈折力の第１レンズ群乃至第６レンズ群よりなり、隣り合うレンズ群の間隔を変えてズーミングを行い、第５レンズ群でフォーカシングを行ったズームレンズを開示している。
【先行技術文献】
【特許文献】
【０００６】
【特許文献１】特開２０１６−３８５０２号公報
【特許文献２】特開２０１２−４７８１４号公報
【発明の概要】
【発明が解決しようとする課題】
【０００７】
撮像装置に用いるズームレンズには、所定のズーム比を有し、レンズ系全体が小型であること、フォーカスレンズ群が小型軽量でフォーカシングに際して収差変動が少ないこと等が強く要望されている。例えばフォーカスレンズ群を小型軽量にするため、フォーカスレンズ群の構成レンズ枚数を少なくすると、フォーカスレンズ群の残存収差が大きくなる。このため、フォーカシングに際して収差変動が大きくなり、遠距離から近距離までの物体距離全般にわたり良好な光学性能を得ることが難しくなる。
【０００８】
高ズーム比で全ズーム範囲にわたり高い光学性能を有し、小型でフォーカシングに伴う諸収差の変動の抑制を実現するにはズームタイプ及びズーミングに際しての移動レンズ群及びフォーカスレンズ群のレンズ構成等を適切に設定することが重要になってくる。例えばズームレンズを構成するレンズ群の数や各レンズ群の屈折力、更にはフォーカスレンズ群の選定等を適切に設定することが重要になってくる。
【０００９】
本発明は、高ズーム比で広角端から望遠端に至る全ズーム範囲にわたり良好なる光学性能を有し、さらにフォーカシングに伴う諸収差の変動が少ないズームレンズ及びそれを有する撮像装置の提供を目的とする。
【課題を解決するための手段】
【００１０】
本発明のズームレンズは、複数のレンズ群を有し、ズーミングに際して隣り合うレンズ群の間隔が変化するズームレンズであって、
前記複数のレンズ群は、物体側より像側へ順に配置された、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群、正の屈折力の第７レンズ群より成り、
フォーカシングに際して前記第６レンズ群が移動し、前記第２レンズ群の焦点距離をｆ２、前記第６レンズ群の焦点距離をｆ６、広角端におけるバックフォーカスをＳＫｗとするとき、
０．７８＜｜ｆ２｜／ＳＫｗ＜１．２７
１．８０＜ｆ６／ｆ２＜２．６０
なる条件式を満足することを特徴としている。
【発明の効果】
【００１１】
本発明によれば、高ズーム比で広角端から望遠端に至る全ズーム範囲にわたり良好なる光学性能を有し、さらにフォーカシングに伴う諸収差の変動が少ないズームレンズが得られる。
【図面の簡単な説明】
【００１２】
【図１】実施例１の広角端におけるレンズ断面図
【図２】実施例１の無限遠へ合焦時の広角端、中間のズーム位置、望遠端における収差図
【図３】実施例２の広角端におけるレンズ断面図
【図４】実施例２の無限遠へ合焦時の広角端、中間のズーム位置、望遠端における収差図
【図５】実施例３の広角端におけるレンズ断面図
【図６】実施例３の無限遠へ合焦時の広角端、中間のズーム位置、望遠端における収差図
【図７】実施例の撮像装置の要部概略図
【発明を実施するための形態】
【００１３】
以下に本発明の好ましい実施の形態を、添付の図面に基づいて説明する。本発明のズームレンズは、複数のレンズ群を有し、ズーミングに際して隣り合うレンズ群の間隔が変化する。具体的には次のレンズ群より構成されている。
【００１４】
物体側より像側へ順に配置された、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群、正の屈折力の第７レンズ群より構成されている。そして、ズーミングに際して第１レンズ群乃至第７レンズ群は互いに異なった軌跡で移動する。またフォーカシングに際して第６レンズ群が移動する。
【００１５】
図１は、本発明の実施例１のズームレンズの広角端（短焦点距離端）におけるレンズ断面図である。図２（Ａ）、（Ｂ）、（Ｃ）はそれぞれ実施例１のズームレンズにおいて無限遠へ合焦時の広角端、中間のズーム位置、望遠端（長焦点距離端）における収差図である。実施例１はズーム比４．１４、開口比（Ｆナンバー）４．００のズームレンズである。
【００１６】
図３は、本発明の実施例２のズームレンズの広角端におけるレンズ断面図である。図４（Ａ）、（Ｂ）、（Ｃ）はそれぞれ実施例２のズームレンズにおいて無限遠へ合焦時の広角端、中間のズーム位置、望遠端における収差図である。実施例２はズーム比４．１４、開口比４．００のズームレンズである。
【００１７】
図５は、本発明の実施例３のズームレンズの広角端におけるレンズ断面図である。図６（Ａ）、（Ｂ）、（Ｃ）はそれぞれ実施例３のズームレンズにおいて無限遠へ合焦時の広角端、中間のズーム位置、望遠端における収差図である。実施例３はズーム比４．１４、開口比４．００のズームレンズである。
【００１８】
各実施例は全体として７つのレンズ群により構成され、全レンズ群が移動することでズーミングを行い、負の屈折力の第６レンズ群を光軸上に移動させることでフォーカシングを行っている。
【００１９】
図７は本発明のズームレンズを備えるデジタルスチルカメラ（撮像装置）の要部概略図である。
【００２０】
各実施例のズームレンズはビデオカメラ、デジタルスチルカメラ、監視カメラ、ＴＶカメラなどの撮像装置に用いられる撮像光学系である。尚、各実施例のズームレンズは投射装置（プロジェクタ）用の投射光学系として用いることもできる。レンズ断面図において、左方が物体側（前方）で、右方が像側（後方）である。また、レンズ断面図において、ｉを物体側からのレンズ群の順番とすると、Ｂｉは第ｉレンズ群を示す。
【００２１】
ＳＰは開口絞りである。ＦＰはフレアーカット絞りである。ＧＢは光学フィルター、フェースプレート、ローパスフィルター、赤外カットフィルターなどに相当する光学ブロックである。ＩＰは像面である。像面ＩＰは、ビデオカメラやデジタルカメラの撮影光学系としてズームレンズを使用する際には、ＣＣＤセンサやＣＭＯＳセンサなどの撮像素子（光電変換素子）の撮像面に相当する。矢印は広角端から望遠端へのズーミング（変倍）に際しての、各レンズ群の移動軌跡を示している。フォーカスに関する矢印は無限遠から近距離へのフォーカシングに際してのフォーカスレンズ群の移動方向を示す。
【００２２】
球面収差図において、実線のｄはｄ線（波長５８７．６ｎｍ）、二点鎖線のｇはｇ線（波長４３５．８ｎｍ）である。非点収差図において、実線のＳはｄ線におけるサジタル像面、点線のＭはｄ線におけるメリディオナル像面である。歪曲収差はｄ線について示している。倍率色収差図においてｇはｇ線である。尚、以下の各実施例において広角端と望遠端は変倍用のレンズ群が機構上、光軸上を移動可能な範囲の両端に位置したときのズーム位置をいう。
【００２３】
各実施例はいずれも、物体側から像側へ順に、配置された次のレンズ群より構成されている。
【００２４】
正の屈折力の第１レンズ群Ｂ１、負の屈折力の第２レンズ群Ｂ２、正の屈折力の第３レンズ群Ｂ３、負の屈折力の第４レンズ群Ｂ４、正の屈折力の第５レンズ群Ｂ５、負の屈折力の第６レンズ群Ｂ６を有する。更に正の屈折力の第７レンズ群Ｂ７の７つのレンズ群より構成されている。
【００２５】
各実施例のズームレンズでは、ズーミングに際して、全てのレンズ群が矢印に示す如く、互いに異なった軌跡で（独立に）移動し、隣り合うレンズ群の間隔を変えている。これにより全ズーム範囲にわたり収差補正を良好に行っている。
【００２６】
各実施例では第６レンズ群Ｂ６を移動させて変倍に伴う像面変動を補正すると共に、フォーカシングを行っている。第６レンズ群Ｂ６に関する実線の曲線６ａと点線の曲線６ｂは各々無限遠と近距離にフォーカスしているときの変倍に伴う像面変動を補正するための移動軌跡である。また無限遠から近距離へのフォーカスは矢印６ｃに示す如く第６レンズ群Ｂ６を像側へ繰り込むことによって行っている。像ぶれ補正に際して前記第４レンズ群は光軸に対して垂直方向の成分を含む方向へ移動する。
【００２７】
一般的に、前述したポジティブリード型のズームレンズは、全系の小型化及び高ズーム比を図りつつ、高い光学性能が容易に得られることが知られている。この時、第４レンズ群Ｂ４よりも像側に配置される負の屈折力のレンズ群（第６レンズ群Ｂ６）は全系の中で有効口径が小さくなりやすい。このため第６レンズ群Ｂ６をフォーカシングレンズ群とすることでフォーカス機構の小型化を実現して、より高速な作動や滑らかな作動に適したフォーカシング機構を実現している。
【００２８】
各実施例において、第２レンズ群Ｂ２の焦点距離をｆ２、第６レンズ群Ｂ６の焦点距離をｆ６、広角端におけるバックフォーカスをＳＫｗとする。このとき、
０．７８＜｜ｆ２｜／ＳＫｗ＜１．２７    ・・・（１）
１．８０＜ｆ６／ｆ２＜２．６０          ・・・（２）
なる条件式を満足する。
【００２９】
次に前述の各条件式の技術的意味について説明する。条件式（１）は、広角端におけるバックフォーカスと第２レンズ群Ｂ２の焦点距離の好ましい範囲を比によって規定している。条件式（１）の下限を超えて、第２レンズ群Ｂ２の焦点距離が短く（負の焦点距離の絶対値が小さく）なりすぎると、特に広角端において倍率色収差や歪曲収差の補正が困難となる。条件式（１）の上限を超えて、第２レンズ群Ｂ２の負の焦点距離が長く（負の焦点距離の絶対値が大きく）なりすぎると収差は軽減されるが、所望のズーム比を確保するために各レンズ群の移動量が増加し全系が大型化し、好ましくない。
【００３０】
条件式（２）は、負の屈折力のフォーカシング用の第６レンズ群の焦点距離と第２レンズ群Ｂ２の焦点距離の好ましい範囲を比によって規定している。条件式（２）の下限を超えて、第６レンズ群Ｂ６の負の焦点距離が短くなりすぎると、特にフォーカシングに際しての像面湾曲の変動が増加してくる。条件式（２）の上限を超えて、第６レンズ群Ｂ６の負の焦点距離が長くなりすぎると収差は軽減されるが、所望のフォーカシング距離を確保するために第６レンズ群Ｂ６の移動量が増加し全系が大型化してくる。
【００３１】
各実施例において好ましくは次の条件式のうち１つ以上を満足するのが良い。第４レンズ群Ｂ４の焦点距離をｆ４とする。広角端における全系の焦点距離をｆｗとする。第１レンズ群Ｂ１の焦点距離をｆ１、望遠端における全系の焦点距離をｆｔとする。第３レンズ群Ｂ３の焦点距離をｆ３とする。第５レンズ群Ｂ５の焦点距離をｆ５とする。
【００３２】
このとき次の条件式のうち１つ以上を満足するのが良い。
２．１０＜ｆ４／ｆ２＜２．８０      ・・・（３）
０．５０＜｜ｆ２｜／ｆｗ＜０．８０  ・・・（４）
０．９０＜ｆ１／ｆｔ＜１．１５      ・・・（５）
１．１５＜ｆ３／｜ｆ２｜＜１．５５  ・・・（６）
１．４５＜｜ｆ６｜／ｆ３＜１．７５  ・・・（７）
１．８５＜ｆ５／｜ｆ２｜＜２．７０  ・・・（８）
【００３３】
次に前述の各条件式の技術的意味について説明する。条件式（３）は、負の屈折力の第４レンズ群Ｂ４の焦点距離と負の屈折力の第２レンズ群Ｂ２の焦点距離の好ましい範囲を比によって規定している。
【００３４】
条件式（３）の上限を超えて、第４レンズ群Ｂ４の負の焦点距離が長くなりすぎると像ぶれ補正時の第４レンズ群Ｂ４の移動量を増大させる必要があり全系が大型化してくるので好ましくない。条件式（３）の下限を超えて、第２レンズ群Ｂ２の焦点距離が長くなりすぎると収差は軽減されるが、所望のズーム比を確保するために第２レンズ群Ｂ２の移動量が増加し全系が大型化してくるので好ましくない。
【００３５】
条件式（４）は、負の屈折力の第２レンズ群Ｂ２の焦点距離と広角端における全系の焦点距離の好ましい範囲を比によって規定している。条件式（４）の上限を超えて、第２レンズ群Ｂ２の負の焦点距離が長くなりすぎると収差は軽減されるが、所望のズーム比を確保するために第２レンズ群Ｂ２の移動量が増加し全系が大型化してくるので好ましくない。条件式（４）の下限を超えて、第２レンズ群Ｂ２の負の焦点距離が短くなりすぎると特に広角端において像面湾曲や倍率色収差の補正が困難となる。
【００３６】
条件式（５）は、第１レンズ群Ｂ１の焦点距離と望遠端における全系の焦点距離の好ましい範囲を比によって規定している。条件式（５）の上限を超えて、第１レンズ群Ｂ１の焦点距離が長くなりすぎると収差は軽減されるが、所望のズーム比を確保するために第１レンズ群Ｂ１の移動量が増加し全系が大型化してくるので好ましくない。条件式（５）の下限を超えて、第１レンズ群Ｂ１の焦点距離が短くなりすぎると特に望遠端において球面収差や軸上色収差の補正が困難となる。
【００３７】
条件式（６）は、第３レンズ群Ｂ３の焦点距離と第２レンズ群Ｂ２の負の焦点距離の好ましい範囲を比によって規定している。条件式（６）の上限を超えて、第３レンズ群Ｂ３の焦点距離が長くなりすぎると収差は軽減されるが、軸上光線の収斂作用が弱まる。そして第４レンズ群Ｂ４より像側の各レンズのレンズ口径が大きくなりやすく、そこに配置されるフォーカシング用の第６レンズ群Ｂ６の有効径が大型化するため好ましくない。条件式（６）の下限を超えて、第３レンズ群Ｂ３の焦点距離が短くなりすぎると、特に望遠端において球面収差や軸上色収差の補正が困難となる。
【００３８】
条件式（７）は、フォーカシング用の負の屈折力の第６レンズ群Ｂ６の焦点距離と第３レンズ群Ｂ３の焦点距離の好ましい範囲を比によって規定している。条件式（７）の上限を超えて、第３レンズ群Ｂ３の焦点距離が短くなりすぎると、望遠端において球面収差や軸上色収差の補正が困難となる。条件式（７）の下限を超えて、第３レンズ群Ｂ３の焦点距離が長くなりすぎると収差は軽減されるが、軸上光線の収斂作用が弱まる。そして第４レンズ群Ｂ４より像側の各レンズのレンズ口径が大きくなりやすく、そこに配置されるフォーカシング用の第６レンズ群Ｂ６の有効径が大型化するため好ましくない。
【００３９】
条件式（８）は、第５レンズ群Ｂ５の正の焦点距離と第２レンズ群Ｂ２の負の焦点距離の好ましい範囲を比によって規定している。条件式（８）の上限を超えて、第５レンズ群Ｂ５の焦点距離が長くなりすぎると収差は軽減されるが、ズーミングに伴う第５レンズ群Ｂ５の移動量が大きくなりやすく全系の小型化が困難になる。条件式（８）の下限を超えて、第５レンズ群Ｂ５の焦点距離が短くなりすぎると望遠端において球面収差や軸上色収差の補正が困難となる。
【００４０】
より好ましくは条件式（１）乃至（９）の数値範囲を次の如く設定するのが良い。
０．８０＜｜ｆ２｜／ＳＫｗ＜１．１０    ・・・（１ａ）
１．９０＜ｆ６／ｆ２＜２．５０          ・・・（２ａ）
２．２０＜ｆ４／ｆ２＜２．７０          ・・・（３ａ）
０．５５＜｜ｆ２｜／ｆｗ＜０．７５      ・・・（４ａ）
０．９３＜ｆ１／ｆｔ＜１．１０          ・・・（５ａ）
１．２０＜ｆ３／｜ｆ２｜＜１．５０      ・・・（６ａ）
１．４０＜｜ｆ６｜／ｆ３＜１．７０      ・・・（７ａ）
１．９０＜ｆ５／｜ｆ２｜＜２．６５      ・・・（８ａ）
【００４１】
更に好ましくは条件式（１ａ）乃至（８ａ）の数値範囲を次の如く設定するのが良い。
０．８５＜｜ｆ２｜／ＳＫｗ＜１．１０    ・・・（１ｂ）
２．００＜ｆ６／ｆ２＜２．４０          ・・・（２ｂ）
２．３０＜ｆ４／ｆ２＜２．６０          ・・・（３ｂ）
０．６０＜｜ｆ２｜／ｆｗ＜０．７０      ・・・（４ｂ）
０．９５＜ｆ１／ｆｔ＜１．０７          ・・・（５ｂ）
１．２７＜ｆ３／｜ｆ２｜＜１．４５      ・・・（６ｂ）
１．４７＜｜ｆ６｜／ｆ３＜１．６５      ・・・（７ｂ）
１．９５＜ｆ５／｜ｆ２｜＜２．６０      ・・・（８ｂ）
【００４２】
各実施例においてフォーカシング用の第６レンズ群Ｂ６は物体側から像側へ順に配置された正レンズ、負レンズで構成して、小型化でありながら高い収差補正を行っている。像ぶれ補正に際して第４レンズ群Ｂ４を光軸に対して垂直方向の成分を含む方向に移動させることが好ましい。第４レンズ群Ｂ４を負の屈折力とすることにより、第３レンズ群Ｂ３との収差補正が容易となるだけでなく、第４レンズ群Ｂ４は比較的小径軽量となるため像ぶれ補正機構の小型化が容易になる。
【００４３】
以上のように各実施例によれば、高ズーム比で広角端から望遠端に至る全ズーム範囲にわたり良好なる光学性能を有し、さらにフォーカシングに伴う諸収差の変動を軽減したズームレンズを得ている。
【００４４】
以下、実施例１乃至３に対応する具体的な数値データ１乃至３を示す。各数値データにおいて、ｉは物体側から数えた面の番号を示す。ｒｉは第ｉ番目の光学面（第ｉ面）の曲率半径である。ｄｉは第ｉ面と第（ｉ＋１）面との軸上間隔である。ｎｄｉ、νｄｉはそれぞれｄ線に対する第ｉ番目の光学部材の材料の屈折率、アッベ数である。最も像側の２つの面はガラスブロックＧに相当している。非球面形状は光軸方向にＸ軸、光軸と垂直方向にＨ軸、光の進行方向を正としＲを近軸曲率半径、Ｋを円錐定数、Ａ４，Ａ６，Ａ８，Ａ１０を各々非球面係数としたとき、
【００４５】
【数１】
2019148679.tif 000003
なる式で表している。＊は非球面形状を有する面を意味している。「ｅ−ｘ」は１０-xを意味している。ＢＦはバックフォーカスであり、最終レンズ面から像面までの距離を空気換算で示している。広角は広角端、中間は中間のズーム位置、望遠は望遠端を示している。また、前述の各条件式と数値実施例との関係を表１に示す。
【００４６】
［数値データ１］
単位 mm
面データ
面番号       r        d      nd         νd
1        200.813    2.00   1.89286    20.4           
2         75.793    7.41   1.88300    40.8           
3        553.485    0.20                             
4         39.400    6.12   1.69350    53.2           
5         61.663  (可変)                             
6*        58.623    1.80   1.85400    40.4           
7*        13.780    8.58                             
8        -39.182    1.60   1.83481    42.7           
9        112.340    0.28                             
10         44.455    3.80   1.89286    20.4           
11        -59.970   -0.04                             
12        -79.281    1.40   1.88300    40.8           
13         96.314  (可変)                             
14      フレアカット 1.00                             
15         22.528    8.55   1.53775    74.7           
16        -35.312    0.96   2.00069    25.5           
17        -87.108    1.00                             
18(絞り)    ∞       1.00                             
19*        30.884    5.63   1.64000    60.1           
20*       -51.849  (可変)                             
21       -152.771    0.95   1.64000    60.1           
22         17.643    2.52   1.80610    33.3           
23         25.609  (可変)                             
24*        24.272    5.90   1.58313    59.4           
25        -15.778    1.01   2.00069    25.5           
26        -35.369  (可変)                             
27         90.929    2.29   1.89286    20.4           
28        -63.016    0.71                             
29        -53.799    0.94   1.91082    35.3           
30         22.424  (可変)                             
31         81.850    1.61   1.85400    40.4           
32*        37.248    1.78                             
33         57.371    5.10   1.59522    67.7           
34        -62.960  (可変)                             
35          ∞       1.60   1.51633    64.1           
36          ∞       0.38                             
像面        ∞   
【００４７】
非球面データ
第6面
K = 0.00000e+000  A 4= 5.30252e-006  A 6=-3.55800e-008  A 8= 8.73621e-011  A10=-8.41325e-014  
第7面
K = 0.00000e+000  A 4= 6.48820e-006  A 6=-1.63581e-008  A 8=-1.23481e-010  
第19面
K = 0.00000e+000  A 4=-2.05078e-005  A 6=-6.19364e-008  A 8=-3.02213e-011  A10=-1.05573e-012  
第20面
K = 0.00000e+000  A 4=-1.33727e-005  A 6= 1.30058e-009  A 8=-4.30170e-011  A10=-6.12051e-013  
第24面
K = 0.00000e+000  A 4=-3.47280e-005  A 6= 5.06231e-008  A 8= 8.05550e-011  
第32面
K = 0.00000e+000  A 4=-7.94810e-006  A 6=-5.15085e-009  A 8=-8.56524e-013  
各種データ
ズーム比      4.14 
広角     中間     望遠
焦点距離      24.61    50.00   102.00  
Fナンバー      4.00     4.00     4.00  
半画角（度）  41.32    23.40    11.98  
像高          21.64    21.64    21.64  
レンズ全長   124.59   140.91   169.54  
BF            17.31    21.98    41.01  
d 5            1.13    18.93    34.48  
d13           18.82     7.73     2.12  
d20            0.88     2.92     4.90  
d23            4.92     2.88     0.90  
d26            1.81     4.27     1.97  
d30            5.61     8.10    10.06  
d34           15.87    20.55    39.57  
レンズ群データ
群  始面    焦点距離  
1    1     102.24  
2    6     -15.12  
3   14      20.95  
4   21     -38.35  
5   24      38.93  
6   27     -31.32  
7   31     127.38  
8   35       ∞    
【００４８】
［数値データ２］
単位 mm
面データ
面番号       r        d      nd         νd
1        248.012    2.00   1.89286    20.4           
2         81.603    6.78   1.88300    40.8           
3       1111.317    0.20                             
4         40.139    5.39   1.71300    53.9           
5         62.553  (可変)                             
6*        57.665    1.80   1.85400    40.4           
7*        14.270    8.82                             
8        -45.043    1.60   1.88300    40.8           
9         67.080    0.28                             
10         42.124    3.80   1.89286    20.4           
11        -74.895   -0.38                             
12       -255.087    1.40   1.76385    48.5           
13         71.180  (可変)                             
14     フレアカット  1.00                             
15         23.115    8.41   1.53775    74.7           
16        -40.373    0.81   2.00069    25.5           
17       -172.863    1.00                             
18(絞り)    ∞       1.00                             
19*        38.313    5.37   1.72916    54.7           
20*       -56.025  (可変)                             
21       -139.264    0.91   1.65160    58.5           
22         16.454    3.11   1.80610    33.3           
23         26.528  (可変)                             
24*        23.989    6.80   1.58313    59.4           
25        -15.532    1.02   2.00069    25.5           
26        -28.972  (可変)                             
27         74.777    1.66   1.89286    20.4           
28        256.017    0.13                             
29        177.257    0.93   1.88300    40.8           
30         21.549  (可変)                             
31         43.366    1.63   1.85400    40.4           
32*        32.493    1.79                             
33         37.968    3.67   1.49700    81.5           
34        104.957  (可変)                             
35          ∞       1.60   1.51633    64.1           
36          ∞       0.39                             
像面        ∞   
【００４９】
非球面データ
第6面
K = 0.00000e+000  A 4= 8.55756e-006  A 6=-3.17053e-008  A 8= 5.30092e-011  A10=-4.28600e-014  
第7面
K = 0.00000e+000  A 4= 1.03491e-005  A 6=-8.88027e-010  A 8= 2.23021e-012  
第19面
K = 0.00000e+000  A 4=-2.07755e-005  A 6=-4.62507e-008  A 8=-1.11433e-011  A10=-5.16411e-013  
第20面
K = 0.00000e+000  A 4=-1.77695e-005  A 6= 7.43133e-009  A 8=-3.61151e-011  A10=-3.31523e-013  
第24面
K = 0.00000e+000  A 4=-3.74916e-005  A 6= 5.65033e-008  A 8=-2.73444e-011  
第32面
K = 0.00000e+000  A 4=-4.84541e-006  A 6=-6.63622e-009  A 8=-1.89802e-011  
各種データ
ズーム比      4.14 
広角     中間     望遠
焦点距離      24.61    50.00   102.00  
Fナンバー      4.00     4.00     4.00  
半画角（度）  41.31    23.40    11.98  
像高          21.64    21.64    21.64  
レンズ全長   124.56   140.51   169.58  
BF            17.35    27.59    46.49  
d 5            1.07    18.15    33.59  
d13           18.64     7.26     1.99  
d20            0.90     3.37     5.61  
d23            5.58     3.12     0.87  
d26            2.70     4.16     1.64  
d30            7.39     5.93     8.46  
d34           15.91    26.15    45.05  
レンズ群データ
群  始面    焦点距離  
1    1     103.31  
2    6     -16.11  
3   14      22.97  
4   21     -39.24  
5   24      32.09  
6   27     -37.28  
7   31     445.07  
8   35       ∞    
【００５０】
［数値データ３］
単位 mm
面データ
面番号       r        d      nd         νd
1        120.517    2.00   1.89286    20.4           
2         64.481    6.65   1.88300    40.8           
3        156.281    0.20                             
4         57.099    7.11   1.69680    55.5           
5        154.278  (可変)                             
6*        98.356    1.80   1.85400    40.4           
7*        14.677    8.64                             
8        -40.250    1.60   1.88300    40.8           
9         98.787    0.28                             
10         56.282    3.80   1.89286    20.4           
11        -57.544    0.20                             
12        530.068    1.40   1.83481    42.7           
13         76.167  (可変)                             
14   フレアカット 1.00                             
15         20.855    7.56   1.53775    74.7           
16        -72.570    0.61   2.00069    25.5           
17        232.344    1.00                             
18(絞り)    ∞       1.00                             
19*        25.711    5.79   1.71999    50.2           
20*       -99.038  (可変)                             
21       -178.812    0.67   1.59522    67.7           
22         19.245    2.20   1.80610    33.3           
23         24.178  (可変)                             
24*        21.129    6.30   1.58313    59.4           
25        -15.321    0.73   2.00069    25.5           
26        -36.909  (可変)                             
27        124.729    1.76   1.89286    20.4           
28       -137.044    0.11                             
29       -227.096    1.00   1.88300    40.8           
30         22.432  (可変)                             
31      -1466.062    1.72   1.58313    59.4           
32*       282.670    1.76                             
33         50.221    3.64   1.49700    81.5           
34        331.600  (可変)                             
35          ∞       1.60   1.51633    64.1           
36          ∞       0.38                             
像面        ∞   
【００５１】
非球面データ
第6面
K = 0.00000e+000  A 4= 6.53553e-006  A 6=-3.12062e-008  A 8= 7.68698e-011  A10=-7.48410e-014  
第7面
K = 0.00000e+000  A 4= 4.06032e-006  A 6=-5.84778e-009  A 8=-1.10037e-010  
第19面
K = 0.00000e+000  A 4=-1.64954e-005  A 6=-2.56416e-008  A 8=-1.07239e-011  A10=-9.27603e-013  
第20面
K = 0.00000e+000  A 4=-2.64216e-005  A 6= 1.09708e-007  A 8=-4.12789e-010  A10= 3.24129e-013  
第24面
K = 0.00000e+000  A 4=-6.39875e-005  A 6= 9.41893e-008  A 8=-7.10068e-010  
第32面
K = 0.00000e+000  A 4=-1.29298e-006  A 6=-2.03946e-008  A 8=-3.24669e-011  
各種データ
ズーム比      4.14 
広角     中間     望遠
焦点距離      24.62    50.00   102.00  
Fナンバー      4.00     4.00     4.00  
半画角（度）  41.31    23.40    11.98  
像高          21.64    21.64    21.64  
レンズ全長   123.27   139.39   169.56  
BF            17.33    32.58    45.14  
d 5            0.97    14.01    37.16  
d13           19.72     7.55     2.01  
d20            0.82     2.16     3.37  
d23            3.50     2.16     0.95  
d26            2.13     2.93     1.66  
d30            8.28     7.48     8.75  
d34           15.89    31.15    43.71  
レンズ群データ
群  始面    焦点距離  
1    1     105.49  
2    6     -16.76  
3   14      22.26  
4   21     -39.32  
5   24      36.44  
6   27     -34.40  
7   31     166.58  
8   35       ∞    
【００５２】
【表１】
2019148679.tif 000004
【００５３】
次に本発明のズームレンズを撮像光学系として用いたデジタルカメラ（撮像装置）の実施例を図７を用いて説明する。図７において、２０はデジタルカメラ本体、２１は上述の実施例のズームレンズによって構成された撮像光学系である。２２は撮像光学系２１によって被写体像（像）を受光するＣＣＤ等の撮像素子（光電変換素子）、２３は撮像素子２２が受光した被写体像を記録する記録手段である。２４は不図示の表示素子に表示された被写体像を観察するためのファインダーである。
【００５４】
表示素子は液晶パネル等によって構成され、撮像素子２２上に形成された被写体像が表示される。このように本発明のズームレンズをデジタルカメラ等の撮像装置に適用することにより、小型で高い光学性能を有する撮像装置を実現している。
【符号の説明】
【００５５】
Ｂ１  第１レンズ群      Ｂ２  第２レンズ群      Ｂ３  第３レンズ群
Ｂ４  第４レンズ群      Ｂ５  第５レンズ群      Ｂ６  第６レンズ群
Ｂ７  第７レンズ群
【図１】
2019148679.tif 000005
【図２】
2019148679.tif 000006
【図３】
2019148679.tif 000007
【図４】
2019148679.tif 000008
【図５】
2019148679.tif 000009
【図６】
2019148679.tif 000010
【図７】
2019148679.tif 000011